(57)【特許請求の範囲】
【請求項１】
第１の周波数帯の信号を送信する第１の送信部を有する第１の無線部と、
第２の周波数帯の信号を受信する第１の受信部を有する第２の無線部と、
前記第１の受信部の前方に配置され、前記第１の受信部により受信される前記第２の周波数帯の信号以外の周波数帯の信号を抑制する機能を有するフィルタ部と、
前記第１の受信部で前記第２の周波数帯の信号を受信しているときに、前記第１の送信部により前記第１の周波数帯の信号を送信する場合には、前記第２の周波数帯が前記第１の周波数帯から所定の周波数以上離れているならば、前記フィルタ部による抑制の機能が無効になるように制御し、前記第２の周波数帯が前記第１の周波数帯から前記所定の周波数以上離れていないならば、前記フィルタ部による抑制の機能が有効になるように制御する制御部とを有する携帯通信端末。
【請求項２】
前記制御部は、前記第１の受信部で前記第２の周波数帯の信号を受信している際に、前記第１の送信部により前記第１の周波数帯の信号を送信するときに、当該送信の電力が所定の値以上である場合には、前記フィルタ部による抑制の機能が有効になるように制御する請求項１記載の携帯通信端末。
【請求項３】
前記第１の無線部は、第２の受信部をさらに有し、
前記制御部は、前記第２の受信部により受信される受信信号に基づいて、前記送信される信号の出力電力を算出する請求項２記載の携帯通信端末。
【請求項４】
前記第２の無線部は、前記第２の周波数帯を利用して送信されるテレビ放送あるいはラジオ放送の受信を行う請求項１記載の携帯通信端末。
【発明の詳細な説明】
【技術分野】
【０００１】
本発明は、複数の無線部を有する携帯通信端末に関する。
【背景技術】
【０００２】
携帯通信端末には、外部機器と通信を行う無線部が複数含まれて構成されているものがある。各無線部は、それぞれ異なる通信規格に準じて外部機器と通信を行うことができ、使用する周波数帯も異なっている。また、各無線部は、外部機器との間で信号を送受信する通信システムを構成する。
【０００３】
ところで、一の通信システムによって信号を受信中に、他の通信システムによって信号を送信するような場合や、他の通信システムによって信号を送信中に、一の通信システムによって信号を受信するような場合がある。
【先行技術文献】
【特許文献】
【０００４】
【特許文献１】特開２００３−２４４０１５号公報
【発明の概要】
【発明が解決しようとする課題】
【０００５】
このような場合、携帯通信端末は、一の通信システムのアンテナと他の通信システムのアンテナとの位置関係によって、他の通信システムのアンテナから出力された信号が一の通信システムのアンテナに回り込んで受信される場合がある。
【０００６】
そうすると、一の通信システムが信号の受信を行う際に、他の通信システムから送信された信号が回り込んで受信されてしまい、一の通信システムによる信号の受信性能に影響を与える可能性がある。
【０００７】
ここで、受信性能への影響を回避する手段として、特許文献１に記載されている技術の他に、一の通信システムの信号を受信するアンテナの後段部分に、受信した信号の中から他の通信システムによって出力された信号を除去するためのフィルタを追加することが考えられる。
【０００８】
しかし、単にフィルタを追加しただけの構成であると、受信信号に含まれている目的としない信号を除去する一方で目的とする信号も低減されてしまい、ロスが発生する。
【０００９】
本発明では、受信性能への影響を回避しつつ、目的とする受信信号のロスを低減することができる携帯通信端末を提供することを一つの目的とする。
【課題を解決するための手段】
【００１０】
本発明に係る携帯通信端末は、上記課題を解決するために、第１の周波数帯の信号を送信する第１の送信部を有する第１の無線部と、第２の周波数帯の信号を受信する第１の受信部を有する第２の無線部と、前記第１の受信部の前方に配置され、前記第１の受信部により受信される前記第２の周波数帯の信号以外の周波数帯の信号を抑制する機能を有するフィルタ部と、前記第１の受信部で前記第２の周波数帯の信号を受信しているときに、前記第１の送信部により前記第１の周波数帯の信号を送信する場合には、前記第２の周波数帯が前記第１の周波数帯から所定の周波数以上離れているならば、前記フィルタ部による抑制の機能が無効になるように制御し、前記第２の周波数帯が前記第１の周波数帯から前記所定の周波数以上離れていないならば、前記フィルタ部による抑制の機能が有効になるように制御する制御部とを有する。
【００１１】
また、携帯通信端末では、前記制御部は、前記第１の受信部で前記第２の周波数帯の信号を受信している際に、前記第１の送信部により前記第１の周波数帯の信号を送信するときに、当該送信の電力が所定の値以上である場合には、前記フィルタ部による抑制の機能が有効になるように制御する。
【００１２】
また、携帯通信端末では、前記第１の無線部は、第２の受信部をさらに有し、前記制御部は、前記第２の受信部により受信される受信信号に基づいて、前記送信される信号の出力電力を算出する。
【００１３】
また、携帯通信端末では、前記第２の無線部は、前記第２の周波数帯を利用して送信されるテレビ放送あるいはラジオ放送の受信を行う。
【発明の効果】
【００１７】
本発明によれば、受信性能への影響を回避しつつ、目的とする受信信号のロスを低減することができる。
【図面の簡単な説明】
【００１８】
【図１】携帯電話装置を開いた状態を示す外観斜視図である。
【図２】携帯電話装置の機能を示す機能ブロック図である。
【図３】第１の周波数帯及び第２の周波数帯の関係を示す図である。
【図４】フィルタ部を有効状態又は無効状態にする際の動作についての説明に供するフローチャートである。
【図５】フィルタ部を有効状態にした場合と無効状態にした場合における周波数特性を示す図である。
【図６】送信の電力に基づいてフィルタ部を有効状態又は無効状態に切り替える際の動作についての説明に供する図である。
【図７】切替部の切り替え動作についての説明に供する図である。
【図８】第１の送信処理部から出力される信号の送信電力に基づいてフィルタ部を有効状態又は無効状態に切り替える際の動作についての説明に供するフローチャートである。
【図９】携帯電話装置の機能を示す機能ブロック図である。
【図１０】フィルタ部を有効状態にした場合と無効状態にした場合における周波数特性を示す図である。
【図１１】周波数の差に基づいてフィルタ部を有効状態又は無効状態に切り替える際の動作についての説明に供するフローチャートである。
【図１２】フィルタ部を有効状態にした場合と無効状態にした場合における周波数特性を示す図である。
【発明を実施するための形態】
【００１９】
以下、本発明の実施の形態について説明する。図１は、本発明に係る携帯通信端末の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００２０】
携帯電話装置１は、図１に示すように、操作部側筐体部２と、表示部側筐体部３とを備えて構成される。操作部側筐体部２は、表面部１０に、操作ボタン群１１と、携帯電話装置１の使用者が通話時に発した音声が入力される音声入力部１２とを備えて構成される。操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５とを有する。
【００２１】
また、表示部側筐体部３は、表面部２０に、各種情報を表示するためのディスプレイ２１と、通話の相手側の音声を出力する音声出力部２２と、音楽等を出力するスピーカ２３を備えて構成されている。
【００２２】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）と、操作部側筐体部２と表示部側筐体部３とを折り畳んだ状態（折畳み状態）との間を相対移動可能に構成される。
【００２３】
このように構成される携帯電話装置１は、外部機器と通信を行う無線部が複数含まれて構成されており、一の通信システムにより信号が送信されたときに、他の通信システムで信号を受信する際の受信性能への影響を回避しつつ、希望信号のロス（減衰量）を低減することができる機能を有している。以下に、当該機能を実現するための構成と動作について説明する。
【００２４】
携帯電話装置１は、図２に示すように、第１の無線部３０と、第２の無線部４０と、制御部５０を有する。また、携帯電話装置１は、他に、音声入力部１２と、ディスプレイ２１と、音声出力部２２と、スピーカ２３と、操作ボタン群１１と、メモリ６０等を有する。
【００２５】
第１の無線部３０は、アンテナ３１と、第１の周波数帯の信号の送信処理を行う第１の送信処理部３２（第１の送信部）を有する。第２の無線部４０は、アンテナ４１と、第２の周波数帯の信号の受信処理を行う第１の受信処理部４２（第１の受信部）と、フィルタ部４３を有する。
【００２６】
フィルタ部４３は、第１の受信処理部４２とアンテナ４１の中間に配置され、アンテナ４１により受信される信号の中から第２の周波数帯の信号（希望信号）以外の周波数帯の信号を抑制する機能を有する。ここで、フィルタ部４３の特性について説明する。フィルタ部４３は、上述したように、第２の周波数帯の信号（希望信号）以外の周波数帯の信号（第１の周波数帯の信号等）を抑制（理想的には、除去）するが、第２の周波数帯の信号と抑制の対象となる周波数帯（第１の周波数帯等）が近接している場合には、急峻に減衰するフィルタ特性が必要になる（図５を参照）。このように急峻に減衰するフィルタ特性を有するフィルタ部４３は、希望する周波数帯（第２の周波数帯）の信号に対しても影響を与えてしまう。
【００２７】
本実施例に係る携帯電話装置１では、急峻に減衰するフィルタ特性を有するフィルタ部４３を採用しつつも、希望する周波数帯の信号に与える影響を最大限に低減することができる構成になっている。
【００２８】
具体的には、制御部５０は、第１の受信処理部４２で第２の周波数帯の信号を受信しているときに、第１の送信処理部３２により第１の周波数帯の信号を送信する場合には、フィルタ部４３による抑制の機能が有効になるように制御し、第１の送信処理部３２により第１の周波数帯の信号を送信しない場合には、フィルタ部４３による抑制の機能が無効になるように制御する。なお、フィルタ部４３による抑制の機能が有効とは、アンテナ４１で受信した信号がフィルタ部４３を通過する状態をいい、フィルタ部４３による抑制の機能が無効とは、アンテナ４１で受信した信号がフィルタ部４３をバイパスして、直接第１の受信処理部４２に入力される状態をいう。
【００２９】
また、本実施例では、第１の無線部３０は、８００ＭＨｚを中心周波数とする周波数帯（第１の周波数帯）の信号を送信する機能（いわゆる、ＣＤＭＡ（Ｃｏｄｅ  Ｄｉｖｉｓｉｏｎ  Ｍｕｌｔｉｐｌｅ  Ａｃｃｅｓｓ）方式を採用したメール通信・通話機能）を有し、第２の無線部４０は、第２の周波数帯として４７０ＭＨｚから７７０ＭＨｚの周波数帯の受信を行う機能（いわゆる、地上波デジタル放送の受信機能）を有するものとする（図３を参照）。なお、第１の無線部３０は、ＣＤＭＡ方式を採用した通信を行う機能のみならず、ＬＴＥ（Ｌｏｎｇ  Ｔｅｒｍ  Ｅｖｏｌｕｔｉｏｎ）方式を採用した通信を行う機能や、ＷｉＦｉ方式等の近距離通信を行う機能であっても良い。また、第２の無線部４０は、地上波デジタル放送を受信する機能のみならず、第１の無線部３０とは異なる機能であって、例えば、ＬＴＥ（Ｌｏｎｇ  Ｔｅｒｍ  Ｅｖｏｌｕｔｉｏｎ）方式を採用した通信を行う機能や、ＷｉＦｉ方式等の近距離通信を行う機能であっても良い。
【００３０】
第１の無線部３０の第１の送信処理部３２は、基地局（外部機器）との間で通信を行い、通話等を行う周波数帯を決定する。第１の送信処理部３２は、決定した周波数帯（第１の周波数帯）で通信・通話の待ち受けを行う。また、第１の送信処理部３２は、データを送信する際には、送信するデータを第１の周波数帯の周波数を搬送波として信号を生成し、アンテナ３１を介して基地局に送信する。
【００３１】
また、第２の無線部４０は、ユーザによる所定の操作に応じて、テレビ視聴用のアプリケーションが起動され、所定のチャンネルが指定されたときに、チャンネルと周波数の対応テーブルを参照し、４７０ＭＨｚから７７０ＭＨｚまでの周波数帯（第２の周波数帯）の中から、指定されたチャンネルに対応する周波数にチューニングを行う機能を有している（当該機能は、例えば、後述する受信帯域可変部４６により発揮される）。そして、第１の受信処理部４２は、チューニングにより受信した信号に対して、復調処理や復号処理等の所定の信号処理を行い、処理後の信号を再生処理し、テレビ視聴用のアプリケーションを利用して再生を行う。
【００３２】
ここで、アンテナ４１は、ＣＤＭＡ方式の送信周波数帯のアンテナ利得が低いほど、回り込みの影響は小さくなる。しかし、アンテナ４１は、第２の周波数帯（４７０ＭＨｚから７７０ＭＨｚ）のアンテナ利得を確保しなければならず、アンテナ利得を低くすることが困難である。
【００３３】
一方で、ＣＤＭＡ方式の送信周波数帯において必要となるアンテナ利得は、第２の周波数帯と同一か数ｄＢ低下する程度である。そうすると、アンテナ４１は、第２の周波数帯の信号を受信しているときに、アンテナ３１によりＣＤＭＡ方式による送信が行われた場合、ほとんどロスすることなくアンテナ３１から送信される信号を受信してしまう。
【００３４】
したがって、アンテナ４１により受信した信号を処理する第１の受信処理部４２は、前段部に設けられているＬＮＡ（Ｌｏｗ  Ｎｏｉｓｅ  Ａｍｐｌｉｆｉｅｒ）が入力飽和状態になり、歪みが発生し、受信性能が劣化してしまう。これは、第２の周波数帯において、どの周波数でも生じる現象である。
【００３５】
実験において、−３０ｄＢｍのＣＤＭＡ送信波が入力された場合、第２の無線部４０による地上波デジタル放送の受信性能が劣化した。これは、アンテナ３１とアンテナ４１のアンテナ間アイソレーションが１０ｄＢであったため、ＣＤＭＡ送信波は、−２０ｄＢｍで送信されていたことになる。また、この結果は、アンテナ間アイソレーション量や、第２の無線部４０のＬＮＡの歪特性によっても変動する。
【００３６】
また、ＣＤＭＡ方式の信号は、最大で、＋２３ｄＢｍから＋２４ｄＢｍで送信されることが一般的である。よって、第１の受信処理部４２は、ＣＤＭＡ方式の信号を除去するためのフィルタ部を必要とする。
【００３７】
また、第１の受信処理部４２は、具体的には、アンテナ４１から入力された信号をＲＦ処理部４２ａで受信し、ＯＦＤＭ部４２ｂによって復調し、分離部４２ｃにより映像と音声を分離し、分離後の信号を制御部５０に出力する。制御部５０は、同期をとって、映像信号をディスプレイ２１に出力し、音声信号をスピーカ２３に出力する。第１の受信処理部４２は、信号の受信中においてこの再生処理の動作を常時行っている。
【００３８】
ここで、第１の無線部３０と第２の無線部４０は、制御部５０の制御にしたがって動作するので、制御部５０は、常に第１の無線部３０と第２の無線部４０の動作状態を把握している。よって、制御部５０は、第２の無線部４０により第２の周波数帯に係る地上波デジタル放送を受信しているときに、第１の無線部３０により通話等を行う場合、すなわち第１の無線部３０により第１の周波数帯の信号を送信する場合には、フィルタ部４３の機能が有効状態になるように制御し、また、第１の無線部３０により通話等を行わない場合には、フィルタ部４３の機能が無効状態になるように制御することができる。
【００３９】
つぎに、携帯電話装置１によりフィルタ部４３を有効状態又は無効状態にする際の動作について、図４に示すフローチャートを参照して説明する。なお、以下では、ユーザによる所定の操作に応じて、テレビ視聴用のアプリケーションが起動され、第２の無線部４０により第２の周波数帯内の信号を受信しているものとする。
【００４０】
ステップＳＴ１において、制御部５０は、第１の送信処理部３２により第１の周波数帯の信号の送信を開始するか否かを判断する。第１の送信処理部３２により第１の周波数帯の信号の送信を開始すると判断した場合（Ｙｅｓ）には、ステップＳＴ２に進み、第１の送信処理部３２により第１の周波数帯の信号の送信を開始しないと判断した場合（Ｎｏ）には、ステップＳＴ３に進む。
【００４１】
ステップＳＴ２において、制御部５０は、フィルタ部４３が有効状態になるように制御する。したがって、フィルタ部４３は、アンテナ４１により入力された信号から第１の周波数帯の信号を抑制（理想的には、除去）する。
【００４２】
ステップＳＴ３において、制御部５０は、フィルタ部４３が無効状態になるように制御する。したがって、フィルタ部４３がバイパスされるので、第１の受信処理部４２には、アンテナ４１により入力された信号が直接入力される。
【００４３】
ここで、フィルタ部４３を有効状態にした場合と無効状態にした場合における周波数特性について説明する。本実施例においては、図５に示すように、第１の周波数帯Ｆ１の低域側に第２の周波数帯Ｆ２が規定されており、フィルタ部４３が有効状態の場合には、減衰曲線Ｘにしたがって、フィルタ部４３で入力信号が処理（第１の周波数帯Ｆ１が減衰処理）されて第１の受信処理部４２に供給され、また、フィルタ部４３が無効状態の場合には、曲線Ｙにしたがって、入力信号が減衰（ロス）することなく第１の受信処理部４２に供給される。
【００４４】
このようにして、携帯電話装置１は、第１の無線部３０と第２の無線部４０を同時に使用する場合において、フィルタ部４３を有効状態にするので、第２の無線部４０に対する第１の周波数帯の信号の影響を低減することができ、また、第２の無線部４０のみを使用する場合において、フィルタ部４３を無効状態にするので、第２の無線部４０に対するフィルタ部４３の影響を無くすことができる。
【００４５】
制御部５０は、第１の受信処理部４２で第２の周波数帯の信号を受信している際に、第１の送信処理部３２により第１の周波数帯の信号を送信するときに、当該送信の電力が所定の値（図６中では所定の値を「ｔｈ１」とする）以上である場合には、フィルタ部４３による抑制の機能が有効になるように制御する。
なお、第１の送信処理部３２により送信される際の信号の電力は、筐体内におけるアンテナ３１とアンテナ４１の配置されている位置や、双方のアンテナ利得や、第２の無線部４０のＬＮＡの歪み性能等によって決定される。
【００４６】
ここで、制御部５０は、予め基地局との間において所定の品質で通信を行うために必要な送信電力を算出し、この送信電力によって第１の送信処理部３２により第１の周波数帯の信号を送信する。具体的には、送信電力の値は、ＣＤＭＡ方式の場合には、標準化された規格によって規定されている。携帯電話装置１は、信号の送信が開始された後は、基地局から制御信号を受信し、送信電力の値が決定される。基本的には、基地局が受信する受信レベル（携帯電話装置１の送信波）が低くなれば、基地局は、携帯電話装置１に対して、送信レベル（送信電力）を増加するように要求する。携帯電話装置１は、当該要求に応じて、送信電力を増加して信号の送信を行う。
【００４７】
制御部５０は、この送信電力が所定の値以上である場合には、第１の受信処理部４２への影響を考慮して、フィルタ部４３による抑制の機能が有効になるように制御する。なお、この送信電力が所定の値を超えない場合には、制御部５０は、フィルタ部４３による抑制の機能が無効になるように制御する。
【００４８】
また、制御部５０は、フィルタ部４３による抑制の機能を有効状態又は無効状態に切り替える際に、第１の送信処理部３２から送信される信号の電力が所定の値を境にして上下に変動する場合には、有効状態と無効状態の切り替え動作が頻繁に発生し、切り替え動作が安定せず、無駄に電力が消費されてしまう。そこで、制御部５０は、送信の電力が所定の値を上回った又は下回った場合に、所定時間その状態が継続することを確認してから、フィルタ部４３を有効状態又は無効状態に切り替えるように動作しても良い。
【００４９】
つぎに、制御部５０によるフィルタ部４３の有効又は無効の切り替え制御について説明する。携帯電話装置１は、図７に示すように、フィルタ部４３の前後に第１の切替部４４と第２の切替部４５を有する。第１の切替部４４と第２の切替部４５は、制御部５０の制御に応じて、入力された信号がフィルタ部４３を通過するように切り替え、また、入力された信号がフィルタ部４３をバイパスするように切り替える。
【００５０】
制御部５０は、第１の受信処理部４２で第２の周波数帯に係る地上波デジタル放送を受信している際に、第１の送信処理部３２により第１の周波数帯の信号を送信し、当該送信の電力が所定の値以上である場合には、端子ａ１と端子ｂ１とが接触するように第１の切替部４４を制御し、かつ、端子ｂ２と端子ａ２とが接触するように第２の切替部４５を制御して、アンテナ４１により入力された信号がフィルタ部４３を通過するようにする。したがって、フィルタ部４３は、アンテナ４１により入力された信号から第１の周波数帯の信号を抑制（理想的には、除去）する。
【００５１】
また、制御部５０は、第１の受信処理部４２で第２の周波数帯に係る地上波デジタル放送を受信している際に、第１の送信処理部３２により第１の周波数帯の信号を送信し、当該送信の電力が所定の値以上ではない場合には、端子ａ１と端子ｃ１とが接触するように第１の切替部４４を制御し、かつ、端子ｃ２と端子ａ２とが接触するように第２の切替部４５を制御して、アンテナ４１から入力された信号がフィルタ部４３をバイパスするようにする。したがって、第１の受信処理部４２には、アンテナ４１により入力された信号が直接入力される。
【００５２】
なお、上述では、第１の切替部４４と第２の切替部４５の動作をメカニカルなスイッチ構成によって説明したが、これに限られず、トランジスタやＦＥＴ等の素子によって構成されても良い。
【００５３】
つぎに、第１の送信処理部３２から出力される信号の送信電力に基づいてフィルタ部４３を有効状態又は無効状態に切り替える際の動作について、図８に示すフローチャートを参照して説明する。なお、以下では、ユーザによる所定の操作に応じて、テレビ視聴用のアプリケーションが起動され、第２の無線部４０により第２の周波数帯内の信号を受信しているものとする。
【００５４】
ステップＳＴ１１において、制御部５０は、第１の送信処理部３２により第１の周波数帯の信号の送信を開始するか否かを判断する。第１の送信処理部３２により第１の周波数帯の信号の送信を開始すると判断した場合（Ｙｅｓ）には、ステップＳＴ１２に進み、第１の送信処理部３２により第１の周波数帯の信号の送信を開始しないと判断した場合（Ｎｏ）には、ステップＳＴ１４に進む。
【００５５】
ステップＳＴ１２において、制御部５０は、第１の送信処理部３２から出力される信号の送信電力が所定の値以上であるか否かを判断する。第１の送信処理部３２から出力される信号の送信電力が所定の値以上である場合（Ｙｅｓ）には、ステップＳＴ１３に進み、第１の送信処理部３２から出力される信号の送信電力が所定の値以上ではない場合（Ｎｏ）には、ステップＳＴ１４に進む。なお、所定の値は、メモリ６０に格納されており、制御部５０は、メモリ６０を参照して、送信電力が所定の値以上であるか否かを判断する。
【００５６】
ステップＳＴ１３において、制御部５０は、フィルタ部４３が有効状態になるように制御する。したがって、フィルタ部４３は、アンテナ４１により入力された信号から第１の周波数帯の信号を抑制（理想的には、除去）する。
【００５７】
また、ステップＳＴ１４において、制御部５０は、フィルタ部４３が無効状態になるように制御する。したがって、フィルタ部４３がバイパスされるので、第１の受信処理部４２には、アンテナ４１により入力された信号が直接入力される。
【００５８】
したがって、携帯電話装置１は、送信電力が所定の値以上の場合には、フィルタ部４３による抑制の機能を有効状態にするので、第１の受信処理部４２に対する第１の無線部３０から出力された信号（第１の周波数帯の信号）の影響を低減することができ、また、送信電力が所定の値以上ではない場合には、フィルタ部４３による抑制の機能を無効状態にすることにより、第１の受信処理部４２に対するフィルタ部４３の影響を無くすことができる。
【００５９】
また、第１の無線部３０は、図２に示すように、第２の受信処理部３３（第２の受信部）を有する構成であっても良い。
このような構成の場合には、制御部５０は、第２の受信処理部３３により受信される信号Ｓ３に基づいて、送信される信号の出力電力（以下、送信電力という。）を算出する。そして、制御部５０は、算出された送信電力によって第１の送信処理部３２により第１の周波数帯の信号を送信するが、この送信電力が所定の値以上である場合には、第１の受信処理部４２への影響を考慮して、フィルタ部４３による抑制の機能が有効になるように制御する。なお、送信電力が所定の値を超えない場合には、制御部５０は、フィルタ部４３による抑制の機能が無効になるように制御する。
【００６０】
したがって、携帯電話装置１は、送信電力が所定の値以上の場合には、フィルタ部４３による抑制の機能を有効状態にするので、第１の受信処理部４２に対する第１の無線部３０から出力された信号（第１の周波数帯の信号）の影響を低減することができ、また、送信電力が所定の値以上ではない場合には、フィルタ部４３による抑制の機能を無効状態にすることにより、第１の受信処理部４２に対するフィルタ部４３の影響を無くすことができる。
【００６１】
また、第２の無線部４０は、第２の周波数帯を利用して送信されるテレビ放送あるいはラジオ放送の受信を行うことが好ましい。地上波デジタル放送の受信や、デジタルラジオ放送の受信は、携帯電話装置１において、頻繁に利用されるものである。
【００６２】
よって、携帯電話装置１は、テレビやラジオの視聴中において、第１の無線部３０による通信が生じた場合でも、テレビやラジオの視聴を損なうことがないので、利用価値の高いサービスを提供することができる。
【００６３】
また、第２の無線部４０は、図９に示すように、フィルタ部４３の前方に配置され、第２の周波数帯内において、所定の帯域幅を有する受信帯域を可変する受信帯域可変部４６を有する。具体的には、受信帯域可変部４６は、４７０ＭＨｚから７７０ＭＨｚの周波数帯域内において、狭帯域（所定の帯域幅）な受信帯域を可変（チューナブル）して、所定のチャンネルを受信する。また、フィルタ部４３は、抑制する周波数帯を可変する周波数帯可変部４３ａを有する。また、携帯電話装置１は、フィルタ部４３の前後に第１の切替部４４と第２の切替部４５を有する。
【００６４】
このように構成される場合には、制御部５０は、受信帯域可変部４６及び周波数帯可変部４３ａに対して可変する制御を行い、第１の受信処理部４２で受信される信号の周波数が第１の周波数帯から所定の周波数以上離れている場合には、フィルタ部４３による抑制の機能が無効になるように第１の切替部４４と第２の切替部４５を制御し、第１の受信処理部４２で受信される信号の周波数が第１の周波数帯から所定の周波数以上離れていない場合には、フィルタ部４３による抑制の機能が有効になるように第１の切替部４４と第２の切替部４５を制御する。
【００６５】
ここで、第２の無線部４０が受信帯域可変部４６を有することにより、第２の無線部４０は、狭帯域でチューナブルに構成されるので、アンテナ４１の第１の周波数帯の信号に対するアンテナゲインは、広帯域の場合よりも下がる。よって、アンテナ３１により出力された信号がアンテナ４１に回り込む量、すなわちアンテナ４１によって受信される信号量は減少する。
【００６６】
携帯電話装置１では、アンテナ４１により受信される受信周波数と、アンテナ３１により送信される送信周波数との差が所定の周波数以上の場合には、フィルタ部４３を無効状態に制御し、アンテナ４１により受信される信号を直接第１の受信処理部４２に供給し、一方、当該受信周波数と当該送信周波数との差が所定の周波数以上ではない場合、すなわち当該受信周波数と当該送信周波数とが近接している場合には、フィルタ部４３を有効状態に制御し、フィルタ部４３を通過した後の信号を第１の受信処理部４２に供給する。
【００６７】
また、所定の周波数とは、アンテナ４１の特性によって決定される。アンテナ４１は、狭帯域アンテナであるので、第１の周波数帯の信号に対するアンテナゲインが低い場合には、所定の周波数は小さく設定され、アンテナ４１の第１の周波数帯の信号に対するアンテナゲインが高い場合には、所定の周波数は高く設定される。
【００６８】
例えば、アンテナ４１が制御部５０の制御にしたがって７００ＭＨｚにチューニングされ、アンテナ３１の送信周波数が８１５ＭＨｚであり、アンテナ４１の送信周波数（８１５ＭＨｚ）に対する利得（ゲイン）が−３５ｄＢｍとなった場合には、ＣＤＭＡ送信波は、以下のようになる。
アンテナ３１とアンテナ４１とのアンテナ間アイソレーションが１０ｄＢとすると、アンテナ３１が最大電力＋２４ｄＢｍで送信された場合には、アンテナ４１には、「＋２４ｄＢｍ−１０ｄＢ−３５ｄＢ＝−２１ｄＢｍ」のＣＤＭＡ送信波が入力されることになる。この値は、前述の実験で使用したＣＤＭＡ送信波よりも小さく、問題がないレベルといえる。
【００６９】
また、上述した実施例では、アンテナ３１の送信周波数は、「８１５ＭＨｚ−７７０ＭＨｚ＝４５ＭＨｚ」になる。よって、アンテナ４１が狭帯域アンテナであっても、アンテナ３１の送信周波数に近い場合（本実施例では、周波数の差が４５ＭＨｚ以下）には、アンテナ４１の第１の周波数帯の信号に対するアンテナゲインが増加する。このような場合には、制御部５０は、フィルタ部４３を有効状態に制御する。また、制御部５０は、アンテナ４１の受信周波数帯と、アンテナ３１の送信周波数帯について常に把握しているので、アンテナ４１の受信周波数とアンテナ３１の送信周波数の差に基づいて、適応的にフィルタ部４３の有効状態と無効状態を切り替えることができる。
【００７０】
ここで、周波数帯可変部４３ａを有さず、フィルタ部４３がチューナブルではないが、第２の無線部４０が受信帯域可変部４６を有し、狭帯域アンテナでチューナブルに構成されている場合において、フィルタ部４３を有効状態にした場合と無効状態にした場合の周波数特性について説明する。本実施例においては、図１０に示すように、第１の周波数帯Ｆ１の低域側に第２の周波数帯Ｆ２が規定されており、かつ、第２の周波数帯Ｆ２内において、狭帯域（所定の帯域幅）の受信帯域Ｆ２ａがチューナブルに構成されている。また、フィルタ部４３が有効状態の場合には、入力信号は、減衰曲線Ｘにしたがって、フィルタ部４３で処理（第１の周波数帯Ｆ１が減衰処理）されて、処理後の信号が第１の受信処理部４２に供給される。また、フィルタ部４３が無効状態の場合には、入力信号は、曲線Ｙにしたがって、減衰（ロス）することなく第１の受信処理部４２に供給される。
【００７１】
制御部５０は、第１の受信処理部４２により第２の周波数帯の信号を受信している際に、第１の送信処理部３２により第１の周波数帯の信号を送信する場合において、信号の周波数と信号の周波数が所定の周波数以上離れている場合には、フィルタ部４３による抑制の機能が無効になるように制御し、信号の周波数と信号の周波数が所定の周波数以上離れていない場合には、フィルタ部４３による抑制の機能が有効になるように制御する。
【００７２】
つぎに、第１の受信処理部４２で受信される第２の周波数帯と第１の送信処理部３２から送信される第１の周波数帯の差に基づいて、フィルタ部４３を有効状態又は無効状態に切り替える際の動作について、図１１に示すフローチャートを参照して説明する。なお、以下では、ユーザによる所定の操作に応じて、テレビ視聴用のアプリケーションが起動され、第２の無線部４０により第２の周波数帯内の信号を受信しているものとする。
【００７３】
ステップＳＴ２１において、制御部５０は、第１の送信処理部３２により第１の周波数帯の信号の送信を開始するか否かを判断する。第１の送信処理部３２により第１の周波数帯の信号の送信を開始すると判断した場合（Ｙｅｓ）には、ステップＳＴ２２に進み、第１の送信処理部３２により第１の周波数帯の信号の送信を開始しないと判断した場合（Ｎｏ）には、ステップＳＴ２５に進む。
【００７４】
ステップＳＴ２２において、制御部５０は、第１の送信処理部３２から出力される信号の送信電力が所定の値以上であるか否かを判断する。第１の送信処理部３２から出力される信号の送信電力が所定の値以上である場合（Ｙｅｓ）には、ステップＳＴ２３に進み、第１の送信処理部３２から出力される信号の送信電力が所定の値以上ではない場合（Ｎｏ）には、ステップＳＴ２５に進む。なお、所定の値は、メモリ６０に格納されており、制御部５０は、メモリ６０を参照して、送信電力が所定の値以上であるか否かを判断する。
【００７５】
ステップＳＴ２３において、制御部５０は、第１の受信処理部４２で受信される受信信号の周波数と第１の送信処理部３２から送信される送信信号の周波数の差が設定値よりも大きいか否か判断する。設定値よりも大きい場合（Ｙｅｓ）には、ステップＳＴ２４に進み、設定値よりも小さい場合（Ｎｏ）には、ステップＳＴ２５に進む。
【００７６】
なお、本工程においては、受信信号の周波数と送信信号の周波数の差を判断基準にしているが、これに限られず、受信信号の周波数が所定の周波数と比較して大きいか小さいかで判断しても良い。また、このような構成の場合には、所定の周波数は、メモリ６０に格納されており、制御部５０は、メモリ６０を参照して、受信信号の周波数が所定の周波数よりも大きいか小さいかを判断する。
【００７７】
ステップＳＴ２４において、制御部５０は、フィルタ部４３が有効状態になるように制御する。したがって、フィルタ部４３は、アンテナ４１により入力された信号から第１の周波数帯の信号を抑制（理想的には、除去）する。
【００７８】
また、ステップＳＴ２５において、制御部５０は、フィルタ部４３が無効状態になるように制御する。したがって、フィルタ部４３がバイパスされるので、第１の受信処理部４２には、アンテナ４１により入力された信号が直接入力される。
【００７９】
このようにして、携帯電話装置１は、第１の受信処理部４２で受信される信号の周波数が第１の周波数帯から所定の周波数以上離れている場合には、フィルタ部４３による抑制の機能を無効状態にするので、第１の受信処理部４２に対するフィルタ部４３の影響を無くし、また、第１の受信処理部４２で受信される信号の周波数が第１の周波数帯から所定の周波数以上離れていない場合には、フィルタ部４３による抑制の機能を有効状態にするので、第１の受信処理部４２に対する送信信号（第１の周波数帯の信号）の影響を低減することができる。
【００８０】
また、制御部５０は、第１の受信処理部４２で第２の周波数帯の信号を受信しているときに、第１の送信処理部３２により第１の周波数帯の信号を送信し、当該送信の電力が所定の値以上である場合、又は受信帯域可変部４６及び周波数帯可変部４３ａに対して可変する制御を行い、第１の受信処理部４２で受信される信号の周波数が第１の周波数帯から所定の周波数以上離れていない場合には、フィルタ部４３による抑制の機能が有効になるように制御する。
【００８１】
このようにして、携帯電話装置１は、例えば、第１の受信処理部４２で第２の周波数帯の信号を受信しているときに、第１の送信処理部３２により第１の周波数帯の信号を送信し、当該送信の電力が所定の値以下であっても、受信帯域可変部４６及び周波数帯可変部４３ａに対して可変する制御を行い、第１の受信処理部４２で受信される信号の周波数が第１の周波数帯から所定の周波数以上離れていない場合には、フィルタ部４３による抑制の機能が有効になるように制御する。
【００８２】
よって、携帯電話装置１は、フィルタ部４３による抑制の機能を必要な状況下において有効になるように制御することができる。
【００８３】
また、受信帯域可変部４６と周波数帯可変部４３ａとは、図９に示すように、制御部５０に対して同一の制御線Ａで結線されている。このような構成の場合には、制御部５０は、制御線Ａを介して、受信帯域可変部４６及び周波数帯可変部４３ａに対して連動して可変する制御を行う。
【００８４】
ここで、周波数帯可変部４３ａを有し、フィルタ部４３がチューナブルに構成され、かつ、第２の無線部４０が受信帯域可変部４６を有し、狭帯域アンテナでチューナブルに構成されている場合において、フィルタ部４３を有効状態にした場合と無効状態にした場合の周波数特性について説明する。本実施例においては、図１２に示すように、第１の周波数帯Ｆ１の低域側に第２の周波数帯Ｆ２が規定されており、第２の周波数帯Ｆ２内において、狭帯域（所定の帯域幅）の受信帯域Ｆ２ａがチューナブルに構成されており、かつ、フィルタ部４３の減衰特性（図１２中では、減衰曲線Ｘで示す）も所定範囲内Ｘａでチューナブルに構成されている。また、フィルタ部４３が有効状態の場合には、入力信号は、受信帯域Ｆ２ａのチューニングに連動してチューニングされた減衰曲線Ｘにしたがって、フィルタ部４３で処理（第１の周波数帯Ｆ１が減衰処理）されて、処理後の信号が第１の受信処理部４２に供給される。また、フィルタ部４３が無効状態の場合には、入力信号は、曲線Ｙにしたがって、減衰（ロス）することなく第１の受信処理部４２に供給される。
【００８５】
さらに、制御部５０は、受信帯域可変部４６及び周波数帯可変部４３ａを連動して可変するので、フィルタ部４３が有効状態の場合には、フィルタ部４３の減衰特性が高周波数側に移動する。
したがって、携帯電話装置１は、フィルタ部４３が有効状態の場合において、フィルタ部４３の減衰特性が高周波数側に移動するので、第１の周波数帯の信号が減衰される量を抑制することができる。
【００８６】
なお、本実施例では、携帯電話装置１は、第１の無線部３０と第２の無線部４０の二つのシステムを有するとして説明したが、この構成に限られず、三つ以上のシステムを有していても良い。このような構成の場合には、受信機能を有するシステムには、フィルタ部４３が備えられ、条件にしたがってフィルタ部４３の有効状態と無効状態を制御部５０により制御させることによって、上述した本実施例と同様の効果を奏することができる。
【００８７】
ここで、本実施例に係る携帯電話装置１の主なポイントについて以下に列挙する。
１．携帯電話装置１は、一のシステムによって信号Ｓ１を受信しているときに、他のシステムによって信号Ｓ２の送信を開始したことを契機として、一のシステムが有するフィルタ部を有効状態にして、信号Ｓ２を低減して希望信号を取得する。
２．携帯電話装置１は、一のシステムによって信号Ｓ１を受信しているときに、他のシステムによって信号Ｓ２の送信を開始し、送信レベル（電力）が所定の値以下の場合には、一のシステムが有するフィルタ部を無効状態にし、送信レベル（電力）が所定の値以上の場合には、一のシステムが有するフィルタ部を有効状態にする。
３．携帯電話装置１は、他のシステムにより信号を送信する場合において、一のシステムに影響を与えるおそれのある情報（例えば、送信機（ＴＸ）のＡＧＣ回路のゲインや、送信出力の検波値等）をメモリに記憶する。携帯電話装置１は、メモリに記憶された情報に基づいて、フィルタ部を有効状態又は無効状態に制御する。
４．携帯電話装置１は、一のシステムによって信号Ｓ１を受信しているときに、他のシステムによって信号Ｓ２の送信を開始したときには、当初はフィルタ部を無効状態に制御するが、一のシステムの受信性能が劣化してきた場合には、フィルタ部を有効状態に制御する。
５．携帯電話装置１は、一のシステムが有するフィルタ部を有効状態にした後、他のシステムによる信号の送信が停止したことを契機として、フィルタ部を無効状態に制御する。
【００８８】
つぎに、本実施例に係る携帯電話装置１により発揮される主な効果について以下に列挙する。
１．携帯電話装置１は、一のシステムによって信号を受信しているときに、他のシステムによって信号の送信が開始される前に、フィルタ部を有効状態に制御することが可能であり、一のシステムの受信性能を悪化させず、ユーザメリットがある。
２．携帯電話装置１は、新たに検波回路等を追加する必要がなく、ソフトウェアによる変更のみで上述したような効果を奏することができ、コストメリットがある。
３．携帯電話装置１は、他の機器（例えば、置き台（クレードル））と組み合わせなくても、単体で上述したような効果を奏することができるので、コストメリットがある。
【符号の説明】
【００８９】
１  携帯電話装置
３０  第１の無線部
３１，４１  アンテナ
３２  第１の送信処理部
３３  第２の受信処理部
４０  第２の無線部
４２  第１の受信処理部
４３  フィルタ部
４３ａ  周波数帯可変部
４６  受信帯域可変部
５０  制御部
【図１】
0005433403.tif 000002
【図２】
0005433403.tif 000003
【図３】
0005433403.tif 000004
【図４】
0005433403.tif 000005
【図５】
0005433403.tif 000006
【図６】
0005433403.tif 000007
【図７】
0005433403.tif 000008
【図８】
0005433403.tif 000009
【図９】
0005433403.tif 000010
【図１０】
0005433403.tif 000011
【図１１】
0005433403.tif 000012
【図１２】
0005433403.tif 000013